(57)【特許請求の範囲】
【請求項１】
測定者の個人データを入力する個人データ入力手段と、測定者の腹部の硬さを入力する硬さ入力手段と、前記個人データ入力手段と硬さ入力手段のデータに基づき皮下脂肪量を演算する演算手段を備えた測定装置。
【請求項２】
前記個人データ入力手段は、測定者の性別、年齢、体重、身長、腹部周径囲を入力することを特徴とする請求項１記載の測定装置。
【請求項３】
前記個人データ入力手段は、腹部周径囲をデジタルメジャーで測定され、測定データが前記演算手段に転送されることを特徴とする請求項２記載の測定装置。
【請求項４】
前記個人データ入力手段は、腹部周径囲を数値入力手段で入力され、数値入力手段より入力された腹部周径囲データが前記演算手段に転送されることを特徴とする請求項２記載の測定装置。
【請求項５】
前記硬さ入力手段は皮膚圧入計で構成され、測定データが前記演算手段に転送されることを特徴とする請求項１記載の測定装置。
【請求項６】
前記硬さ入力手段は圧電体の振動により腹部の硬さを測定する計測器で構成され、測定データが前記演算手段に転送されることを特徴とする請求項１記載の測定装置。
【請求項７】
測定者の個人データを入力する個人データ入力手段と、測定者の体脂肪量を入力する体脂肪量入力手段と、測定者の腹部の硬さを入力する硬さ入力手段と、前記個人データ入力手段と前記体脂肪量入力手段と硬さ入力手段とのデータに基づき内臓脂肪量を演算する演算手段を備えた測定装置。
【請求項８】
前記個人データ入力手段は、測定者の性別、年齢、体重、身長、腹部周径囲を入力することを特徴とする請求項７記載の測定装置。
【請求項９】
前記個人データ入力手段は、腹部周径囲をデジタルメジャーで測定され、測定データが前記演算手段に転送されることを特徴とする請求項８記載の測定装置。
【請求項１０】
前記個人データ入力手段は、腹部周径囲を数値入力手段で入力され、数値入力手段より入力された腹部周径囲データが前記演算手段に転送されることを特徴とする請求項８記載の測定装置。
【請求項１１】
前記硬さ入力手段は皮膚圧入計で構成され、測定データが前記演算手段に転送されることを特徴とする請求項７記載の測定装置。
【請求項１２】
前記硬さ入力手段は圧電体の振動により腹部の硬さを測定する計測器で構成され、測定データが前記演算手段に転送されることを特徴とする請求項７記載の測定装置。
【請求項１３】
前記体脂肪量入力手段は、キャリパーを用いて体脂肪量を測定することを特徴とする請求項７記載の測定装置。
【請求項１４】
前記体脂肪量入力手段は、生体電気インピーダンス法を用いて体脂肪量を測定することを特徴とする請求項７記載の測定装置。
【請求項１５】
測定者の個人データを入力する個人データ入力手段と、測定者の体脂肪率を入力する体脂肪率入力手段と、測定者の腹部の硬さを入力する硬さ入力手段と、前記個人データ入力手段と前記体脂肪率入力手段と硬さ入力手段とのデータに基づき内臓脂肪面積を演算する演算手段を備えた測定装置。
【請求項１６】
前記個人データ入力手段は、測定者の性別、年齢、体重、身長、腹部周径囲を入力することを特徴とする請求項１５記載の測定装置。
【請求項１７】
前記個人データ入力手段は、腹部周径囲をデジタルメジャーで測定され、測定データが前記演算手段に転送されることを特徴とする請求項１６記載の測定装置。
【請求項１８】
前記個人データ入力手段は、腹部周径囲を数値入力手段で入力され、数値入力手段より入力された腹部周径囲データが前記演算手段に転送されることを特徴とする請求項１６記載の測定装置。
【請求項１９】
前記硬さ入力手段は皮膚圧入計で構成され、測定データが前記演算手段に転送されることを特徴とする請求項１５記載の測定装置。
【請求項２０】
前記硬さ入力手段は圧電体の振動により腹部の硬さを測定する計測器で構成され、測定データが前記演算手段に転送されることを特徴とする請求項１５記載の測定装置。
【請求項２１】
前記体脂肪率入力手段は、キャリパーを用いて体脂肪率を測定することを特徴とする請求項１５記載の測定装置。
【請求項２２】
前記体脂肪率入力手段は、生体電気インピーダンス法を用いて体脂肪率を測定することを特徴とする請求項１５記載の測定装置。
【請求項２３】
測定者の個人データを入力する個人データ入力手段と、測定者の腹部の硬さを入力する硬さ入力手段と、前記個人データ入力手段と硬さ入力手段とのデータに基づき皮下脂肪面積を演算する演算手段を備えた測定装置。
【請求項２４】
前記個人データ入力手段は、測定者の性別、年齢、体重、身長、腹部周径囲を入力することを特徴とする請求項２３記載の測定装置。
【請求項２５】
前記個人データ入力手段は、腹部周径囲をデジタルメジャーで測定され、測定データが前記演算手段に転送されることを特徴とする請求項２４記載の測定装置。
【請求項２６】
前記個人データ入力手段は、腹部周径囲を数値入力手段で入力され、数値入力手段より入力された腹部周径囲データが前記演算手段に転送されることを特徴とする請求項２４記載の測定装置。
【請求項２７】
前記硬さ入力手段は皮膚圧入計で構成され、測定データが前記演算手段に転送されることを特徴とする請求項２３記載の測定装置。
【請求項２８】
前記硬さ入力手段は圧電体の振動により腹部の硬さを測定する計測器で構成され、測定データが前記演算手段に転送されることを特徴とする請求項２３記載の測定装置。
【発明の詳細な説明】
【０００１】
【発明が属する技術分野】
本発明は、測定者の皮下脂肪や内臓脂肪を測定する測定装置に関する。
【０００２】
【従来の技術】
体脂肪率は肥満のバロメータとして注目を浴びており、最近は体脂肪でも皮下脂肪または内臓脂肪のように脂肪がついている場所毎の値が特に注目されてきている。
【０００３】
そして、これら皮下脂肪または内臓脂肪をＸ線ＣＴ装置等を使用せずに簡易的に測定する方法として、超音波プローブと体脂肪計とを組み合わせ内臓脂肪を演算する装置や腹巻型のベルト内面に複数の電極を設けて内臓脂肪を演算する装置等が提案されている。
【０００４】
【発明が解決しようとする課題】
超音波プローブと体脂肪計とを組み合わせ内臓脂肪を演算する装置では、超音波プローブで皮下脂肪厚を測定する位置が特定されたり、皮下脂肪層が薄い人は測定が難しいものであった。
【０００５】
また、腹巻型ベルトでは、電極を順次切替えてインピーダンスを測定し、その測定結果から内臓脂肪を演算するため、構造的に複雑になると共に演算も難しいと考えられる。
【０００６】
【課題を解決するための手段】
本発明は、測定者の身長、腹部の周径囲等の個人データと測定者の腹部の硬さとから測定者の内臓脂肪または皮下脂肪を演算する測定装置である。
【０００７】
【発明の実施の形態】
本発明の測定装置では、測定者の個人データを入力する個人データ入力手段と、測定者の腹部の硬さを入力する硬さ入力手段と、前記個人データ入力手段と硬さ入力手段のデータに基づき皮下脂肪量を演算する演算手段を備え、皮下脂肪量が測定できる。
【０００８】
さらに本発明の測定装置は、測定者の個人データを入力する個人データ入力手段と、測定者の体脂肪量を入力する体脂肪量入力手段と、測定者の腹部の硬さを入力する硬さ入力手段と、前記個人データ入力手段と前記体脂肪量入力手段と硬さ入力手段とのデータに基づき内臓脂肪量を演算する演算手段を備え、内臓脂肪量が測定できる。
【０００９】
さらに本発明の測定装置は、測定者の個人データを入力する個人データ入力手段と、測定者の体脂肪率を入力する体脂肪率入力手段と、測定者の腹部の硬さを入力する硬さ入力手段と、前記個人データ入力手段と前記体脂肪率入力手段と硬さ入力手段とのデータに基づき内臓脂肪面積を演算する演算手段を備え、内臓脂肪面積が測定出来る。
【００１０】
さらに本発明の測定装置は、測定者の個人データを入力する個人データ入力手段と、測定者の腹部の硬さを入力する硬さ入力手段と、前記個人データ入力手段と硬さ入力手段とのデータに基づき皮下脂肪面積を演算する演算手段を備え、皮下脂肪面積が測定出来る。
【００１１】
さらに、本発明の測定装置では、前記個人データ入力手段より、測定者の性別、年齢、体重、身長、腹部周径囲を入力する。
【００１２】
さらに、本発明の測定装置では、前記個人データ入力手段の腹部周径囲がデジタルメジャーで測定され、測定データが前記演算手段に転送されるので、腹部周経囲の測定が簡単にできる。
【００１３】
さらに、本発明の測定装置では、前記個人データ入力手段の腹部周径囲が数値入力手段で入力され、この腹部周径囲データが前記演算手段に転送されるので、特別な測定手段が不要になる。
【００１４】
さらに本発明の測定装置では、前記硬さ入力手段が皮膚圧入計で構成され、測定データが前記演算手段に転送されるので、簡単に腹部の硬さが測定できる。
【００１５】
さらに本発明の測定装置では、前記硬さ入力手段が圧電体の振動により腹部の硬さを測定する計測器で構成され、測定データが前記演算手段に転送されるので、簡単に腹部の硬さが測定できる。
【００１６】
さらに本発明の測定装置では、前記体脂肪測定にキャリパーを用いているので、簡単に体脂肪が測定できる。
【００１７】
さらに本発明の測定装置では、前記体脂肪測定に生体電気インピーダンス法を用いているので、簡単に体脂肪が測定できる。
【００１８】
【実施例】
最初に本発明の原理を説明するに、まず体脂肪率の算出を行う。この体脂肪率は、身長、体重、年齢、性別の個人データを入力し、次に皮下脂肪の厚さを入力する。この皮下脂肪厚は、国際食糧機関（略称：ＦＡＯ）及び世界保健機関（略称：ＷＨＯ）が測定者の上腕背部と肩甲骨下部との２箇所をキャリパーで皮膚及び脂肪組織とを挟んで測定することを推奨している。そして発明者はその測定値の和を皮下脂肪の厚さとし、以下に示す式により全身の体脂肪率を求めた。
【００１９】
体脂肪率＝Ａ１身長＋Ｂ１体重＋Ｃ１厚さ＋Ｄ１年齢＋Ｅ１性別
ただし、Ａ１、Ｂ１、Ｃ１、Ｄ１、Ｅ１は定数
または
体脂肪率＝Ａ２ＢＭＩ＋Ｂ２厚さ＋Ｃ２年齢＋Ｄ２性別
但し、ＢＭＩ＝体重（ｋｇ）／身長（ｍ）２であり、Ａ２、Ｂ２、Ｃ２、Ｄ２は定数
この体脂肪率に体重をかけると、全身の体脂肪量が求められる。
【００２０】
次に発明者は、腹部の筋肉の硬さが一定となる条件（例えば腹部の測定位置、押す力、筋肉の緊張などを一定にする条件）において、腹部を押したときの硬さが皮下脂肪厚にのみ関係した値になることを発見した。
【００２１】
そこで発明者は、皮膚圧入計で腹部の硬さを測定し、その測定結果に基づき次の式で示すように皮下脂肪量を求めた。
【００２２】
皮下脂肪量（Ｙ１）＝Ａ３腹部の硬さ＋Ｂ３周径囲＋Ｃ３ＢＭＩ＋Ｄ３年齢＋Ｅ３性別
ただし、Ａ３、Ｂ３、Ｃ３、Ｄ３、Ｅ３は定数
または
皮下脂肪量（Ｙ２）＝Ａ４腹部の硬さ＋Ｂ４周径囲＋Ｃ４体重／体表面積＋Ｄ４年齢＋Ｅ４性別
ただし、体表面積＝体重（ｋｇ）ｘ×身長（ｍ）ｙ×Ｚ（体表面積は、藤本氏らが提案している式、6歳以上ではｘ＝０．４４４、ｙ＝０．６６３、Ｚ＝８８．８３を用いている）であり、Ａ４、Ｂ４、Ｃ４、Ｄ４、Ｅ４は定数とする。
【００２３】
一方、内臓脂肪量（Ｙｉ）は以下の式から求められる。
内臓脂肪量（Ｙｉ）＝体脂肪量−Ｙ１（またはＹ２）
さらに内臓脂肪面積をもとめる場合には、以下の式により計算する。
内臓脂肪面積=Ａ５体脂肪率＋Ｂ５周径囲＋Ｃ５腹部の硬さ
ただし、Ａ５、Ｂ５、Ｃ５は定数
【００２４】
さらに皮下脂肪面積を求める場合には、以下の式から求められる。
皮下脂肪面積＝Ａ６腹部の硬さ＋Ｂ６周径囲＋Ｃ６ＢＭＩ＋Ｄ６年齢＋Ｅ６性別
ただし、Ａ６、Ｂ６、Ｃ６、Ｄ６、Ｅ６は定数
または
皮下脂肪面積＝Ａ７腹部の硬さ＋Ｂ７周径囲＋Ｃ７体重／体表面積＋Ｄ７年齢＋Ｅ７性別
ただし、Ａ７、Ｂ７、Ｃ７、Ｄ７、Ｅ７は定数
【００２５】
次にこれらの式に基づき測定装置の構造、操作について図面を参照して説明すると、図１は本発明にかかる測定装置１の体脂肪率と腹部の周径囲を測定する第一測定形態を示す斜視図である。この測定装置１には測定者が手で持つためのグリップ部２を設ける。このグリップ部２の一方には後述の測定部を保持する支柱部３を設け、他方にはグリップ部２の内部に長さを測定するデジタルメジャー４と、このメジャー４のベルト５と、ベルト５の先端に係止部６とを設ける。このデジタルメジャー４は、ベルト５を引き出し、測定者のウエストまたはヘソ周りの腹部周径に巻きつけ、係止部５をグリップ部２の図示しない係止受部７に係止することで、腹部周径囲を測定できる。
【００２６】
一方、支柱３の先端側にはキャリパー部８を設ける。このキャリパー部８は、支柱３の先端に回動及び固定可能な固定部９と、支柱３に対しスライド可能な可動部１０とから構成され、固定部９と可動部１０との間に皮膚と脂肪組織とを挟むことで皮下脂肪厚を測定できる。なお、図示しないが、固定部９と可動部１０のそれぞれの対抗面には一定の挟み圧になったらスイッチングするマイクロスイッチ等からなる検出手段を設ける。
【００２７】
さらに、可動部１０と反対側の支柱３には、表示部１１を備えた操作部１２が支柱３に対してスライド可能に設ける。そしてこの操作部１２は、キャリパー８の固定部９と接続されており、操作部１２をグリップ２の方にスライドさせると、図２の第二測定形態の斜視図で示すように固定部９を回動させて、固定部９と可動部１０とを一直線上に配置する。また、操作部１２を支柱３の先端側にスライドさせると、固定部９を回動させて図１に示すように固定部９を可動部１０に対面するように移動する。この操作部１２の上面には、表示部１１と各種データを入力させるためのスイッチ群１３を設ける。
【００２８】
次に、腹部の硬さを測定する図２の第二測定形態において、固定部９が回動すると、固定部９により覆われ、支柱３の先端に設けた公知の皮膚圧入計１４が露出する構成になっている。
【００２９】
図３は、図１及び図２に示した測定装置１の概略電気ブロック図で、制御回路２０にはマイクロコンピュータ、記憶回路等が含まれている。この制御回路２０には、電源回路２１、表示部１１、スイッチ群１３、皮膚圧入計１４、デジタルメジャー４、キャリパー８、マイクロスイッチ等からなる検出手段、ブザー等からなる報知手段２２が接続されている。
【００３０】
つぎに図４のフローチャートを用いて、測定装置１の動作を説明する。まず図示しない電源スイッチをオンすると、制御回路２０内のマイコンがステップＳ１で初期設定される。ステップＳ２では測定者の個人データ、例えば性別、アスリートか否かの体型、年齢、身長、体重が既にメモリされているか否かの判断を行い、メモリされていなければ、ステップＳ３に進む。
【００３１】
ステップＳ３でスイッチ群１３を操作して男または女を選択し、スイッチ群１３の入力キーをオンすることでデータを確定させる。ステップＳ４、ステップＳ５、ステップＳ６、ステップＳ７では、ステップＳ３と同様にスイッチ群１３を操作して体型、年齢、身長、体重、体幹部の高さを入力し、ステップＳ８ではスイッチ群１３の入力キーのオンを待って、入力キーを再度オンすることで個人データを確定させ、制御回路２０の記憶回路に記憶する。
【００３２】
この個人データがメモリされていると、ステップＳ２でＹｅｓと判断され、ステップＳ９に進み、スイッチ群１３の個人キーがオンされるのを待つ。個人キーがオンされると、ステップＳ１０に進み、制御回路２０の記憶回路から個人データを読み出し、ステップＳ１１で表示部１１に測定者が腹部の周径囲を測定するように促す表示を行い続ける。この表示は、例えば、「あなたの腹部周径囲を測定しますので、デジタルメジャーからベルトを引き出し、腹部に巻きつけ係止部を係止受部に係止し、測定キーをオンしてください」のように表示する。
【００３３】
この表示に基づいて、測定者はベルトを巻きつけ、スイッチ群の測定スイッチをオンすると、ステップＳ１２でＹｅｓと判断され、ステップＳ１３でデジタルメジャー４の測定データを読み込み、記憶回路に記憶する。
【００３４】
この記憶が完了すると、ステップＳ１４で表示部１１に皮脂厚を測定するように促す表示を行う。この表示は、例えば、「あなたの腹部皮下脂肪厚を測定しますので、キャリパーで皮膚と脂肪組織を挟んで、測定キーをオンしてください」のように表示する。
【００３５】
この表示に基づいて、測定者は図１の可動部１０をグリップ部２側にスライドさせ、指で皮膚と脂肪組織を固定部９と可動部１０の間に挟み、その後にスイッチ群１３の測定スイッチをオンすると、ステップＳ１５でＹｅｓと判断され、ステップＳ１６でキャリパー８の測定データを読み込み、記憶回路に記憶する。
【００３６】
この記憶が完了すると、ステップＳ１７で表示部１１に腹部の硬さを測定するように促す表示を行う。この表示は、例えば、「あなたの腹部の硬さを測定しますので、皮膚圧入計を腹部に押し付け、ブザーが鳴ったら測定キーをオンしてください」のように表示する。
【００３７】
この表示に基づいて、測定者は図１の操作部１２をグリップ２側にスライドさせ、固定部９を図２に示すように回動させ、固定部９、皮膚圧入計１４、可動部１０が腹部に接触するように押し当てる。そして、この押し当ては、固定部９と可動部１０との先端に設けたマイクロスイッチがオンされるまで、即ち一定の押し圧になるまで押し当てられると、制御回路２０から報知手段２２のブザーを鳴らすようになっている。その後、測定者がスイッチ群１３の測定スイッチをオンすると、ステップＳ１８でＹｅｓと判断され、ステップＳ１９で皮膚圧入計１４の測定データを読み込み、記憶回路に記憶する。
【００３８】
これら測定が完了すると、ステップＳ２０でマイコンは入力したデータ及び測定したデータにより本発明の原理で説明した演算式に基づいて体脂肪率、体脂肪重量、皮下脂肪量、内臓脂肪量、内臓脂肪面積、皮下脂肪面積等を演算し、ステップ２１で表示部１１に演算結果を表示する。
【００３９】
その後に電源スイッチをオフすることで全ての処理が終了する。
【００４０】
また、この制御回路２０には一定時間、例えば３０秒間一切の操作がないと電源をオフするオートパワーオフ機能が設けてあり、不要な電気の消耗を防止する構成になっている。
【００４１】
なお、上記実施例では、腹部皮下脂肪厚の測定にキャリパーを用いたが、超音波測定装置を用いても良い。
【００４２】
また、皮下脂肪厚の測定は、上記実施例のように一体型の測定装置でなく、別体の装置で測定し、操作部１２のスイッチ群１３から数値入力しても良い。
【００４３】
さらに、上記実施例では、腹部の硬さを皮膚圧入計で測定したが、これに限らず特開平９−１４５６９１で示すように圧電体の振動により腹部の硬さを測定する他の装置で測定しても良い。
【００４４】
さらに、腹部の硬さの測定は、上記実施例のように一体型の測定装置でなく、別体の装置で測定し、操作部１２のスイッチ群１３から数値入力しても良い。
【００４５】
さらに、腹部周径囲の測定は、上記実施例でデジタルメジャーを用いたが、一般のメジャーで測定し、その測定値を操作部１２のスイッチ群１３から数値入力しても良い。
【００４６】
さらに、体脂肪量入力手段はキャリパーに限らず、生体電気インピーダンス法による公知の体脂肪計を用いて測定しても良い。
【００４７】
なお、皮下脂肪量または皮下脂肪面積のみ求める場合には、皮下脂肪厚を測定するキャリパーを削除することができる。
【００４８】
【発明の効果】
測定者の個人データを入力する個人データ入力手段と、測定者の腹部の硬さを入力する硬さ入力手段と、前記個人データ入力手段と硬さ入力手段のデータに基づき皮下脂肪量を演算する演算手段を備えたことにより、簡単な構成で皮下脂肪量を求めることができる。
【００４９】
また、測定者の個人データを入力する個人データ入力手段と、測定者の体脂肪量を入力する体脂肪量入力手段と、測定者の腹部の硬さを入力する硬さ入力手段と、前記個人データ入力手段と前記体脂肪量入力手段と硬さ入力手段とのデータに基づき内臓脂肪量を演算する演算手段を備えたことにより、内臓脂肪量を求めることができる。
【００５０】
さらに、測定者の個人データを入力する個人データ入力手段と、測定者の体脂肪率を入力する体脂肪率入力手段と、測定者の腹部の硬さを入力する硬さ入力手段と、前記個人データ入力手段と前記体脂肪率入力手段と硬さ入力手段とのデータに基づき内臓脂肪面積を演算する演算手段を備えたことにより、簡単に内臓脂肪面積を求めることができる。
【００５１】
さらに、測定者の個人データを入力する個人データ入力手段と、測定者の腹部の硬さを入力する硬さ入力手段と、前記個人データ入力手段と硬さ入力手段とのデータに基づき皮下脂肪面積を演算する演算手段を備えたことにより、簡単に皮下脂肪面積を求めることができる。
【図面の簡単な説明】
【図１】第一測定形態を示す斜視図である。
【図２】第二測定形態を示す斜視図である。
【図３】概略電気ブロック図である。
【図４】測定装置１の動作を説明する概略フローチャートである。
【符号の説明】
１  測定装置
２  グリップ部
３  支柱部
４  デジタルメジャー
５  ベルト
６  係止部
７  係止受部
８  キャリパー部
９  固定部
１０  可動部
１１  表示部
１２  操作部
１３  スイッチ群
１４  皮膚圧入計
２０  制御回路
２２  報知手段
【図１】
0003707772.tif 000002
【図２】
0003707772.tif 000003
【図３】
0003707772.tif 000004
【図４】
0003707772.tif 000005